(57)【要約】【課題】構造をシンプル且つコンパクトなものとし、窓の部分的な遮光を行えるようにする。【解決手段】ベースフレーム１の前側に、遮光幕３を巻き取った巻取ドラム４を配置し、ベースプレート１に取り付けたブラケット軸受６にドラム軸５を回転自在に支持させる。ドラム軸５に、巻取ドラム４を遮光幕３の巻き取り方向へ付勢するためのぜんまいばね８と、巻取ドラム４の遮光幕３巻取方向への回転を阻止するラチェット機構９を設ける。ベースプレート１を窓枠に取付ボルト１０で取り付けるようにする。ベースプレート１を窓２の上部窓枠２ａに取り付けた状態にて、遮光幕３を巻取ドラム４より下方へ任意の量巻き出させ、ラチェット機構９により保持させることで窓２の遮光を行わせる。遮光が不要になる場合は、ラチェット機構９を解除させて、遮光幕３をドラム軸４へ巻き取らせる。【選択図】        図１
2004204438.tif 000002
【特許請求の範囲】
【請求項１】
ベースプレートに、遮光幕を巻き取らせてある巻取ドラムを回転自在に取り付け、該巻取ドラムの一端側又は両端側のドラム軸の外周部に、上記遮光幕を巻き出す方向に巻取ドラムを回転させるとき、該巻取ドラムを逆方向へ回転させるよう付勢するようにぜんまいばねを取り付け、且つ上記遮光幕を巻き出す方向へは上記巻取ドラムを回転させるが遮光幕を巻き出す方向とは反対方向へは巻取ドラムの回転を阻止させるようにするラチェット機構を設け、更に、上記ラチェット機構を解除する手段を備えてなり、上記ベースプレートを任意の個所へ取り付けて使用できるようにしたことを特徴とするブラインド装置。
【請求項２】
ラチェット機構を、ドラム軸に一体に取り付けたつめ歯車と、一端部に上記つめ歯車に係止するつめ部を備え且つ長手方向中央部をストッパーカム軸にて揺動自在に支持させたストッパーカムと、該ストッパーカムのつめ部を上記つめ歯車側へ近接するよう付勢するためのばね部材とからなる構成とし、ラチェット機構解除手段を、上記ばね部材の弾性力に抗する方向へ上記ストッパーカムの他端部を押すことにより上記ストッパーカムのつめ部を上記つめ歯車より外すことができるラチェット解除ボタンとした請求項１記載のブラインド装置。
【請求項３】
ぜんまいばねを、ドラム軸の外周に巻き回すよう配置して、該ぜんまいばねの中心側となる一端部を上記ドラム軸の外周面に固定し、且つ外周側となる他端部を、固定側の所要位置に固定した請求項１又は２記載のブラインド装置。
【発明の詳細な説明】
【０００１】
【発明の属する技術分野】
本発明は自動車の窓や建屋の窓等に取り付けて遮光に用いるブラインド装置に関するものである。
【０００２】
【従来の技術】
自動車では、夏期等の日照が強い時に駐車しておくと、車内が非常に高温になることがある。このような車内の温度上昇を未然に防ぐために、駐車時に、自動車の窓にブラインド装置を取り付けて、日差しを遮るようにすることが広く行われている。又、近年では、紫外線の人体への悪影響が指摘されるようになっていること等を鑑みて、運転中にも窓を半透明の遮光幕を備えたブラインド装置にて遮光することも行われるようになってきている。
【０００３】
この種の自動車用のブラインド装置の１つとしては、筒状のケースの内側に、両端部を固定軸に回転自在に支持させた巻き芯を収納し、上記各固定軸に取り付けてその外周に巻回させた渦巻状スプリングの先端部に、それぞれ帯状のばね板の一端部を接続して、上記ケースの一側面に形成してあるスリットから上記各ばね板の他端側を外側に平行に引きだせるようにすると共に、該各ばね板の間に遮光幕を取り付けて、該遮光幕を、上記ケースのスリットから引き出すことにより、上記渦巻状スプリングが変形させられて巻き芯が回転させられ、この変形させられたスプリングの復元力（弾性力）により上記引き出された遮光幕に対して、巻き芯を巻き取る方向の力が常時付勢できるようにした構成として、上記ケースを遮光すべき自動車のドアの内側の窓の下端部近傍に、両面テープや面ファスナーを介し設置すると共に、上記遮光幕の先端部を、窓ガラスの上端部にフックを介し取り付けておくことにより、上記窓ガラスの昇降と一体に遮光幕の引き出し、収納を行わせるようにしたり、或いは、上記ケースをフロントガラスやリアガラス等の固定式のガラスの一辺部近傍位置に設置すると共に、遮光幕の先端部に吸盤を取り付けておき、該遮光幕を任意の量引き出して、上記固定式のガラスの所要位置に吸盤を吸着させることにより、該固定式のガラスの遮光を行えるようにした形式のものが従来提案されている（たとえば、特許文献１参照）。
【０００４】
又、自動車用のブラインド装置の他の形式のものとしては、上記と同様に遮光幕を一端側から巻き取ることができるようにしてある巻取軸を、遮光すべき窓の下端縁部におけるドアトリム内に回転自在に取り付けると共に、該巻取軸に、遮光幕巻取方向に回転力を付勢するためのばねモータを装備させ、且つ上記遮光幕の先端側に横方向に延びるアーム部材を取り付けて、該アーム部材の一端部又は両端部を、上記窓の上下方向の窓枠部分に沿わせて設置したガイドレールにスライド自在に係合させてあるスライド部材に保持させ、更に、上記スライド部材を、伸縮しない索状物を介し上下方向に押し引きできるようにした歯車駆動モータのような駆動装置を備えてなる構成として、該駆動装置にて、上記スライド部材と一体にアーム部材を昇降させることにより、上記遮光幕の巻取軸から巻き出しによる延展操作と、巻取軸への巻き取り操作を行わせるようにした形式（たとえば、特許文献２参照）、或いは、遮光幕の幅方向の両端部に、断面形状略Ｕ字状として上記遮光幕を長手方向に延びた姿勢で保持できる剛性を有する板ばね材を取り付けておき、この板ばね材の断面形状を平面状に弾性変形させながら上記遮光幕を巻き付けるようにしてある巻取軸を、遮光すべき窓の下端縁部のドアトリム内に回転自在に取り付けると共に、該巻取軸に、モータの如き駆動装置を接続した構成として、該駆動装置にて上記巻取軸を回転駆動させることにより、遮光幕の巻き出しと巻き取りとを行わせると共に、遮光幕を巻き出すときには、該巻き出される部分における板ばね材の断面形状を順次略Ｕ字状に回復させることにより、該板ばね材の剛性により巻き出された部分の遮光幕を延展状態で保持させることができるようにした形式のもの（たとえば、特許文献３参照）が提案されている。
【０００５】
更に他の形式のブラインド装置としては、外周面に遮光幕の一端部を取り付けて該遮光幕を一端側から巻き取ることができるようにしてなる巻取軸を、遮光すべき建屋の窓の上端縁部に回転自在に取り付けると共に、該巻取軸にモータの如き駆動装置を接続した構成として、該駆動装置にて上記巻取軸を回転駆動させることにより、上記遮光幕の巻き出しによる延展操作と、巻き取り操作を行わせるようにしたものも提案されている（たとえば、特許文献４参照）。
【０００６】
【特許文献１】
特開２０００−１９８３５２号公報
【特許文献２】
特開２００１−２３９８２９号公報
【特許文献３】
特開２００２−２７４１７２号公報
【特許文献４】
特開平１０−２９２７５５号公報
【０００７】
【発明が解決しようとする課題】
ところが、上記特許文献１にて示されたブラインド装置において、遮光幕の先端部にフックを備えた構成とした場合は、該フックを窓ガラスの上端部に引っ掛けるようにすると、遮光幕は窓ガラスの昇降と連動して昇降するようになるため、たとえば、窓ガラスを閉じているときには、遮光幕にて上記窓ガラスをすべて覆った状態か、或いは、フックを窓ガラスの上端に引っ掛けずに遮光幕による遮光を全く行わない状態のいずれか一方しか選択できず、このために、たとえば、自動車で景色の良い所を通る場合等に、乗員の目に直接入る日光は遮りたいが、ある程度の視界は確保しておきたいといった要求が生じたとしても、これに応えることができないという問題が生じる。
【０００８】
一方、遮光幕の先端部に吸盤を設けた構成とした場合には、窓ガラスの任意の個所に上記吸盤を吸着させることにより、窓ガラスの一部を部分的に遮光幕で覆って遮光することは可能になるが、上記遮光幕に対しては、渦巻状スプリングにより常に巻き芯を巻取方向へ回転させようとする力が付勢されているため、上記吸盤に対しては、上記渦巻状スプリングによる遮光幕巻取方向への力に抗する吸着力が求められ、そのため、該吸盤を強力なものとしなければならないと共に、万一、該吸盤がガラス面から外れてしまうと、遮光幕は巻き芯に巻き取られてしまうことになり、したがって、たとえば、駐車時に車内の昇温防止を図るべく遮光を行っているときに、上記のような吸盤のガラス面からの脱落が生じた場合には、遮光が行われなくなって、車内が高温になってしまうという不測の事態が生じることも懸念される。
【０００９】
更に、遮光幕の先端部にフック及び吸盤のいずれを設ける場合であっても、上記特許文献１に記載されたものでは、遮光幕の幅方向両端部に設けたばね板の一端部を、固定軸に巻回した渦巻状スプリングの先端部に取り付けてあることから、上記渦巻状スプリングには、遮光幕と一体に巻き芯より巻き出されるばね板の巻き出し量に対応できる長さ寸法及び変形量が要求され、このために、遮光幕の長さ寸法をあまり長くすることが難しいといった問題も懸念される。
【００１０】
次に、特許文献２、３、４に示された形式のブラインド装置では、駆動装置により遮光幕の巻き出しが制御されるため、遮光幕の巻き出し量を自在に設定できて、窓ガラスの一部の領域のみの遮光を容易に行うことができると共に、遮光幕が勝手に巻き取られてしまうという不測の事態が生じる虞は少なくなるが、これらはいずれも駆動装置（動力源）を必要とするため、製造コストが嵩むと共に、構造が複雑になって大型化するという問題があり、更には、メンテナンスコストやランニングコストが必要になるという問題もある。
【００１１】
そこで、本発明は、コンパクトな構造とすることができて製造コストの削減を図ることができると共に、遮光幕を任意の量だけ引きだして使用することができ、更に、遮光を臨む窓に容易に設置できるブラインド装置を提供しようとするものである。
【００１２】
【課題を解決するための手段】
本発明は、上記課題を解決するために、ベースプレートに、遮光幕を巻き取らせてある巻取ドラムを回転自在に取り付け、該巻取ドラムの一端側又は両端側のドラム軸の外周部に、上記遮光幕を巻き出す方向に巻取ドラムを回転させるとき、該巻取ドラムを逆方向へ回転させるよう付勢するようにぜんまいばねを取り付け、且つ上記遮光幕を巻き出す方向へは上記巻取ドラムを回転させるが遮光幕を巻き出す方向とは反対方向へは巻取ドラムの回転を阻止させるようにするラチェット機構を設け、更に、上記ラチェット機構を解除する手段を備えてなり、上記ベースプレートを任意の個所へ取り付けて使用できるようにした構成とする。
【００１３】
窓の遮光を行う場合は、ベースプレートを遮光すべき窓の上部位置や窓上部の窓枠に予め取り付けた状態としておく。この状態において、遮光幕の先端部を持って該遮光幕を巻取ドラムより巻き出させて、上記窓の遮光を望む領域を覆うように配置させると、ぜんまいばねの弾性力により上記巻取ドラムに対して遮光幕の巻取方向への回転力が付勢されるようになるが、この際、任意の位置でラチェット機構により巻取ドラムの遮光幕巻取方向への回転を阻止させるようにすると、遮光幕は上記窓の遮光を望む部分を覆った状態にて保持されるようになるため、上記窓の遮光を望む領域における光が遮られるようになる。その後、窓の遮光が不要になる場合は、ラチェット機構解除手段により、ラチェット機構を解除すると、上記ぜんまいばねの弾性力により巻取ドラムが巻取方向へ回転させられることに伴い、該巻取ドラムへの遮光幕の巻き取りが行われるようになる。
【００１４】
又、ラチェット機構を、ドラム軸に一体に取り付けたつめ歯車と、一端部に上記つめ歯車に係止するつめ部を備え且つ長手方向中央部をストッパーカム軸にて揺動自在に支持させたストッパーカムと、該ストッパーカムのつめ部を上記つめ歯車側へ近接するよう付勢するためのばね部材とからなる構成とし、ラチェット機構解除手段を、上記ばね部材の弾性力に抗する方向へ上記ストッパーカムの他端部を押すことにより上記ストッパーカムのつめ部を上記つめ歯車より外すことができるラチェット解除ボタンとした構成とすることにより、ラチェット解除ボタンを押さないときには、ドラム軸の遮光幕巻取方向への回転を阻止でき、且つラチェット解除ボタンを押すことによりドラム軸の遮光幕巻取方向への回転を行わせることが可能なラチェット機構を容易に構成できる。
【００１５】
更に又、ぜんまいばねを、ドラム軸の外周に巻き回すよう配置して、該ぜんまいばねの中心側となる一端部を上記ドラム軸の外周面に固定し、且つ外周側となる他端部を、固定側の所要位置に固定した構成とすることにより、巻取ドラムより遮光幕が巻き出されるときに、該巻取ドラムに対して遮光幕巻取方向の回転力を付勢させるための構成を容易に形成できる。
【００１６】
【発明の実施の形態】
以下、本発明の実施の形態を図面を参照して説明する。
【００１７】
図１乃至図４は本発明のブラインド装置の実施の一形態を示すもので、左右方向に延びる横長のベースフレーム１の表面側となる一側の左右両端部に、遮光すべき窓２の幅寸法よりも広い間隔でブラケット軸受６を突設させ、該左右のブラケット軸受６の間に、遮光すべき窓２の幅寸法と対応する幅寸法の遮光幕３を巻き取ることができるようにしてある巻取ドラム４を配置して、該巻取ドラム４の左右両端部軸心位置に取り付けてあるドラム軸５を、上記左右のブラケット軸受６の軸受本体６ａにそれぞれ回転自在に支持させ、且つ上記左右いずれか一方のドラム軸５（たとえば、図１上右側のドラム軸５）を、対応するブラケット軸受６よりも外側位置へ突出させて、該ブラケット軸受６の外側位置に隣接するよう上記ベースフレーム１の表面に設けた巻取機構室７内へ突出させ、該巻取機構室７内における上記ドラム軸５の突出端部に、巻取ドラム４から遮光幕３を巻き出すときに、上記一方のドラム軸５を介して巻取ドラム４に対し遮光幕３巻取方向への回転力を付勢させるためのぜんまいばね８と、上記巻取ドラム４の遮光幕３の巻出し方向への回転は許容する一方、遮光幕３巻取方向への回転は阻止するためのラチェット機構９と、該ラチェット機構９の解除手段としてのラチェット解除ボタン１８を備え、更に、上記ベースプレート１を、遮光すべき窓２の所要位置に取り付けるための取付手段として、たとえば、窓２の上部窓枠２ａに取り付けるための取付ボルト１０を装備した構成とする。
【００１８】
上記ぜんまいばね８は、図３に示す如く、上記巻取機構室７内に位置するドラム軸５の外周に巻き回すよう配置すると共に、中心側となる一端部を上記ドラム軸５の外周面所要位置に取り付け、且つ外周側となる他端部を、上記巻取機構室７内に露出するベースフレーム１に取り付けた構成として、巻取ドラム４に巻き取られている遮光幕３が巻き出されるときに、上記巻取ドラム４と一体にドラム軸５が遮光幕３巻出し方向へ回転させられることに伴ってぜんまいばね８が巻き込まれるように変形させられるようにし、この変形されるぜんまいばね８が巻戻し方向へ復元しようとする復元力（弾性力）により、上記遮光幕３を巻取ドラム４に巻き取る方向への回転力が巻取ドラム４に付勢できるようにしてある。
【００１９】
上記ぜんまいばね８の取付位置よりも外側となるドラム軸５の端部に取り付けられる上記ラチェット機構９は、図４に詳細を示す如く、つめ歯車１１をドラム軸５の端部に一体に取り付け、該つめ歯車１１の上方に、前後方向に延びて前端部（一端部）に上記つめ歯車１１に係合できるつめ部１２ａを備えたストッパーカム１２を配置すると共に、該ストッパーカム１２の長手方向中央部を、ベースプレート１の表面に突設してあるブラケット１３にストッパーカム軸１４を介し回動可能に取り付けて、上記ストッパーカム１２のつめ部１２ａが、上記ストッパーカム軸１４を中心に上記つめ歯車１１に係合する位置から上方へ外れた位置まで上下方向に揺動できるようにし、更に、ばね部材としてのトーションコイルばね１６のコイル部分を、上記ストッパーカム軸１４に嵌挿させて、該トーションコイルばね１６の一方（前端側）の腕部を、ストッパーカム１２の前部位置の側面に横方向に突設したばね受部材１５に係止させ、又、該トーションコイルばね１６の他方（後端側）の腕部を、ベースプレート１の表面の上部位置に押し当てるよう係止させた構成として、該トーションコイルばね１６の弾性力で、上記ストッパーカム１２のつめ部１２ａを常に下方へ押すように作用させることにより、ストッパーカム１２のつめ部１２ａをつめ歯車１１と係止させる方向に常に付勢させることができるようにし、上記ドラム軸５と一体に回転する巻取ドラム４の遮光幕３巻出し方向への回転を許容する一方、上記遮光幕３の巻き出しに伴って変形される上記ぜんまいばね７による弾性力にて巻取ドラム４に対し遮光幕３を巻き取る方向へ回転させる力が付勢される場合であっても、つめ歯車１１にストッパーカム１２のつめ部１２ａを係止させることで、上記巻取ドラム４の遮光幕３巻取方向へ自由な回転を阻止できるようにしてある。
【００２０】
更に、上記ストッパーカム１２の後端部（他端部）の上方位置となる巻取機構室７の頂部に、所要寸法の貫通孔１７を穿設し、該貫通孔１７に、ラチェット解除ボタン１８の下側に取り付けたロッド部材１９をスライド自在に挿入して、該ラチェット解除ボタン１８と巻取機構室７との間のロッド部材１９の外周にスプリング２０を嵌装させ、更に、上記貫通孔１７を通して巻取機構室７内へ挿入された上記ロッド部材１９の下部所要個所に、上記貫通孔１７よりも大径のストッパーリング２１を取り付けて、平常時は、上記ロッド部材１９の外周に配されたスプリング２０の弾発力によりラチェット解除ボタン１８を上方へ押し上げさせることにより、上記ロッド部材１９を、ストッパーリング２１が巻取機構室７の天井面に接する位置まで上方へ引き上げて、該ロッド部材１９の下端部がストッパーカム１２の後端部に接触しない配置となるようにし、一方、上記ラチェット解除ボタン１８をスプリング２０の弾発力に抗して押し下げることにより、上記ロッド部材１９の下端部を、ストッパーカム１２の後部に上方から押し当てて該ストッパーカム１２の後部をストッパーカム軸１４を中心に下方へ旋回させると同時に、該ストッパーカム１２の前端部のつめ部１２ａを、トーションコイルばね１６の弾性力に抗して上方へ旋回させてつめ車９から外れるようにして、遮光幕３を引き出した状態の巻取ドラム４に対する遮光幕２の巻き取り方向への回転阻止を解除させることができるようにしてある。
【００２１】
なお、図１において、２２は上記遮光幕３の先端部（反巻取ドラム４取付側端部）に設けた孔であり、この孔２２を、窓２におけるベースフレーム１の取付個所と反対側の窓枠部分、すなわち、下部窓枠２ｂに接着したり、面ファスナー２４を介して設置してあるフック２３や、図示しない吸盤を用いて窓ガラス２ｃ面の任意の位置に取り付けたフックに引っ掛けることができるようにしてある（図ではフック２３を下部窓枠２ｂに面ファスナー２４を用いて設置した場合を示す）。上記遮光幕３は、巻取ドラム４に巻き取り可能な柔軟性を備えていれば、通常用いられるいかなる素材製の遮光幕３を使用してもよく、更に、光を完全に遮るものや、眩しくない程度まで光を一部遮るもの、ある特定の波長の光、たとえば、赤外線や紫外線のみを遮るもの等、様々な遮光特性を備えた遮光幕３を、遮光を望む窓２の状況に応じて適宜選択して使用すればよい。
【００２２】
上記構成としてある本発明のブラインド装置を使用する場合には、図１に示す如く、遮光を望む窓２の上部窓枠２ａに、ベースプレート１の背面側を、取付ボルト１０を用いて取り付けると共に、下部窓枠２ｂに、両面テープや面ファスナー２４等を用いて予めフック２３を取り付けておくようにする。
【００２３】
この状態において、窓２の遮光を行う場合には、巻取ドラム４に巻き取られて格納されている遮光幕３の先端部を持って人力で下方に引くことにより、該遮光幕３を下方に巻き出させることができ、次いで、図１に二点鎖線で示す如く、該遮光幕３の先端部の孔２２をフック２３に引っ掛けるようにする。これにより、上記窓２は遮光幕３で覆われるため、該窓２を透過する光は遮られるようになる。
【００２４】
上記のように巻取ドラム４に巻き取られている遮光幕３を巻き出すようにすると、巻取ドラム４と一体にドラム軸５が回転させられることに伴いぜんまいばね８が巻き込まれるように変形させられるため、この変形させられたぜんまいばね８が巻き戻される方向へ復帰しようとする復元力により、上記巻取ドラム４に遮光幕３を巻き取る方向に回転させようとする力が付勢されるようになるが、上記巻取ドラム４のドラム軸５と一緒に回転するつめ歯車１１に、ラチェット機構９のストッパーカム１２のつめ部１２ａが順次係合させられるようになることから、引き出している遮光幕３の先端部より手を放しても、つめ歯車９は回転を阻止される。これに伴って、巻取ドラム４は遮光幕３の巻き取り方向への回転が阻止されるため、遮光幕３が上記巻取ドラム４へ勝手に巻き取られることはなく、遮光幕３を人力で引き下げている途中で遮光幕３より手を離しても、その時点の巻き出し量のまま保持されるようになる。したがって、遮光幕３の先端部の孔２２を上記フック２３に引っ掛けても、該フック２３に、ぜんまいばね８の復元力による遮光幕３の巻き取り方向の力による引張力が作用することはない。更には、遮光幕３の巻取ドラム４からの巻き出し量を任意の量に設定することが可能となるため、窓ガラス２ｃがほぼ垂直な窓２や、下方側が内側に傾斜した窓ガラス２ｃであれば、該窓ガラス２ｃの一部を、巻取ドラム４より所要量巻き出した上記遮光幕３により部分的に覆って、部分的な遮光を行うことも可能になる。
【００２５】
一方、上記窓２の遮光を解除する場合は、遮光幕３の先端部の孔２２をフック２３から外した後、ラチェット解除ボタン１８を押して、スプリング２０の弾性力に抗してロッド部材１９を押し下げるようにする。これにより、ロッド部材１９の下端部によってストッパーカム１２の後端部が押され、トーションコイルばね１６の弾性力に抗して該ストッパーカム１２の後端部が押し下げられることによって先端部のつめ部１２ａが上方へ旋回させられてつめ歯車１１から外される。その結果、上記ストッパーカム１２のつめ部１２ａとつめ歯車１１との係合が解除されるため、遮光幕３の巻き出し時に変形させられていたぜんまいばね８の復元力によりドラム軸５を介してつめ歯車１１と巻取ドラム４が回転させられるようになり、図１に二点鎖線で示す如く、下方に引きだされていた遮光幕３は、図１に実線で示す如く、初期状態と同様に巻取ドラム４へ巻き取られて、窓２の遮光状態は解消されることになる。
【００２６】
このように、本発明のブラインド装置によれば、遮光幕３の巻き出しによる窓２の遮光を容易に行うことができると共に、ラチェット機構９により任意の巻出し位置にて遮光幕３を保持できる。このため遮光幕３の先端部に設けた孔２２をフック２３に引っ掛けて係止させるときにも、該フック２３に対して遮光幕３の巻き取り方向に作用するぜんまいばね８の復元力に対抗するための取付強度を要求されることはない。よって、該フック２３の取り付けは、単に該フック２３を位置固定できる程度の取付強度の接着剤や面ファスナー２４或いは吸盤等によって容易に行うことができると共に、たとえ、遮光幕３の孔２２がフック２３から外れたり、フック２３自体が設置個所より脱落したとしても、遮光幕３が巻取ドラム４に勝手に巻き取られる虞はなく、したがって、たとえば、本発明のブラインド装置を車内のサイドの窓ガラスやフロントガラス、リアガラスに沿って設置して駐車中の車内における遮光を行っているときに、勝手に巻き取られて遮光が行われなくなってしまうといった不測の事態を未然に防止することが可能となる。
【００２７】
又、上記遮光幕３は任意の巻き出し位置で保持させることができるため、上記遮光幕３を任意の量引き出すようにすることで、該遮光幕３により窓ガラス２ｃの一部のみを覆って、窓２の部分的な遮光を行うことも可能になり、窓２が、ほぼ垂直方向や、下方が内側に傾斜した窓ガラス２ｃを有する場合には、孔２２をフック２３に引っ掛けなくても遮光幕３を窓ガラス２ｃに沿わせて配置できて、有効に用いることができる。
【００２８】
更に、遮光幕３の巻取ドラム４からの巻き出しは、人手で行うことができると共に、上記巻取ドラム４への遮光幕３の巻き取りは、上記遮光幕３の巻き出し時に変形させられるぜんまいばね８の復元力によって行わせることができることから、モータのような駆動装置を要することはなく、シンプルでコンパクトな構造とすることができて、製造コストを安価なものとすることができ、又、電力等の動力源のために要するランニングコストを不要にできると共に、メンテナンスコスト等を低く抑えることが可能になる。
【００２９】
次に、図５（イ）（ロ）は本発明の実施の他の形態を示すもので、図１乃至図４に示したと同様の構成において、ベースフレーム１を窓枠２ａに取付ボルト１０で取り付けるようにした構成に代えて、ベースフレーム１の背面に、取付手段としての吸盤２５を備えて、該吸盤２５を用いてベースフレーム１を窓ガラス面等の所要個所に取り付けるようにしたものである。
【００３０】
上記吸盤２５は、吸着面の背面側に、先端側を略球形状に膨らませた係合突部２６を有してなり、一方、ベースプレート１の背面側には、左右方向に所要寸法延び且つ一端部に上記係合突部２６を挿入し得る大きさの挿入部２８を有する断面ありみぞ状の長孔２７を設け、上記吸盤２５の係合突部２６を、挿入部２８を通して挿入して長孔２７の途中位置で支持させるようにしてある。
【００３１】
その他の構成は図１乃至図４に示したものと同様であり、同一のものには同一符号が付してある。
【００３２】
本実施の形態によれば、ベースフレーム１を吸盤２５を介し任意の平滑面、すなわち、たとえば、窓ガラス２ｃ面の任意の位置に着脱自在に取り付けることができるため、上記本実施の形態のブラインド装置を、日射を遮りたい所要の窓２に必要に応じて取り付けを行うことができると共に、該窓２の日差しを遮りたい任意の部分のみの遮光を行うことも容易にできるようになる。さらに、遮光を望む可能性のある窓２が多数ある場合にも、実際に遮光を実施する窓２の数だけ本実施の形態のブラインド装置を用意すればよいため、設備コストを更に削減することが可能になる。
【００３３】
次いで、図６（イ）（ロ）はいずれも本発明の実施の更に他の形態として、取付部材の更に他の例として、ベースフレーム１の背面に、面ファスナー２９を取り付けた構成を示すものである。
【００３４】
本実施の形態のブラインド装置を使用する場合には、図６（イ）に示す如く、上記面ファスナー２９と対応する面ファスナー３０を、遮光を望む窓２の上部窓枠２ａに接着剤を用いて予め接着して取り付けておくか、或いは、図６（ロ）に示す如く、上記面ファスナー３０を、遮光を望む窓２の上部窓枠２ａに、両面テープ３１を介して取り付けておくようにする。
【００３５】
その他の構成は図１乃至図４に示したものと同様であり、同一のものには同一符号が付してある。
【００３６】
本実施の形態によれば、遮光を望む可能性のある窓２が多数ある場合にも、各窓の上部窓枠２ａに、ベースフレーム１背面の面ファスナー２９に対応する面ファスナー３０を予め取り付けておけば、本実施の形態のブラインド装置は、実際に遮光を行う窓２の個所に携行して該窓２の遮光を行わせることができるため、本実施の形態のブラインド装置も、図５（イ）（ロ）に示したブラインド装置と同様に、実際に遮光を行わせる窓２の数だけ用意すればよくて、設備コストの引き下げを図ることができる。
【００３７】
なお、本発明は上記実施の形態のみに限定されるものではなく、遮光幕３のサイズは、遮光を望む窓２のサイズに合わせて自在に設定できること、又、巻取ドラム４の径は、巻き取るべき遮光幕３の長さ寸法に合わせて自在に設定してよいこと、ベースフレーム１を遮光すべき窓２の窓枠部分に固定できれば、取付部材としては、任意の形式のものを使用できること、ぜんまいばね８及びラチェット機構９は、ドラム軸５に対する取付位置を内外方向に取り替えてもよく、又、巻取ドラム４における図１に示したものとは反対側のドラム軸５に設けるようにしてもよいこと、更に、ぜんまいばね８とラチェット機構９を、ブラケット軸受６よりも内側位置のドラム軸５に取り付けたり、巻取ドラム４の左右のドラム軸５に分離させて設けてもよいこと、ぜんまいばね８は、巻取ドラム４の左右両側のドラム軸５に取り付けてもよく、同様に、ラチェット機構９を巻取ドラム４の左右のドラム軸５に設けることも可能なこと、ぜんまいばね８の外周側となる他端部をベースプレート１に固定した場合を示したが、固定側であれば他の個所でもよいこと、ラチェット機構９に設けるばね部材としてはトーションコイルばね１６を示したが、ストッパーカム１２のつめ部１２ａをつめ歯車１１側へ押し付けるように付勢できれば、いかなる形式のばね部材を用いてもよく、更には、ストッパーカム１２のつめ部１２ａのつめ歯車１１側への付勢を、ゴム等の弾性体により行わせることも可能なこと、ブラケット軸受６の間に、巻取ドラム４に巻き取られた遮光幕３を覆うことができるよう、遮光幕３を引き出すためのスリット付きのカバーを設けるようにしてもよいこと、自動車のサイドの窓ガラスやフロントガラス、リアガラスのみならず、建屋の窓の遮光に用いるようにしてもよいこと、その他本発明の要旨を逸脱しない範囲内において種々変更を加え得ることは勿論である。
【００３８】
【発明の効果】
以上述べた如く、本発明のブラインド装置によれば、ベースプレートに、遮光幕を巻き取らせてある巻取ドラムを回転自在に取り付け、該巻取ドラムの一端側又は両端側のドラム軸の外周部に、上記遮光幕を巻き出す方向に巻取ドラムを回転させるとき、該巻取ドラムを逆方向へ回転させるよう付勢するようにぜんまいばねを取り付け、且つ上記遮光幕を巻き出す方向へは上記巻取ドラムを回転させるが遮光幕を巻き出す方向とは反対方向へは巻取ドラムの回転を阻止させるようにするラチェット機構を設け、更に、上記ラチェット機構を解除する手段を備えてなり、上記ベースプレートを任意の個所へ取り付けて使用できるようにした構成としてあるので、以下の如き優れた効果を発揮する。
(1) 遮光幕の巻き出しによる窓の遮光を容易に行うことができると共に、ラチェット機構により巻出し量が任意の量となる位置にて遮光幕を保持することができ、遮光幕の先端部に孔を設けて該孔をフックに引っ掛けて係止させる場合であっても、該フックに対して遮光幕巻取方向に作用するぜんまいばねの復元力に対抗するための取付強度が要求されることはなく、フックの取り付けは、単に該フックを位置固定できる程度の取付強度の接着剤や面ファスナー或いは吸盤等によって容易に行うことができる。このため、たとえ、遮光幕の孔がフックから外れたり、該フック自体が設置個所より脱落したとしても、遮光幕が巻取ドラムに勝手に巻き取られる虞はなく、したがって、たとえば、本発明のブラインド装置を自動車のサイドの窓ガラスやフロントガラス、リアガラスを覆うように設置して駐車中の車内における遮光を行っているときに、勝手に遮光幕が巻き取られて遮光が行われなくなるといった不測の事態を未然に防止することができる。
(2) 遮光幕を任意の巻き出し量の位置で保持できるため、上記遮光幕を任意の量引き出すことによって窓ガラスの一部のみを覆うことができて、窓の部分的な遮光を行うことが可能になり、更に、遮光すべき窓が、ほぼ垂直方向や、下方が内側に傾斜した窓ガラスを有する場合には、遮光幕の先端部をフック等に引っ掛けなくても該遮光幕を窓ガラスに沿わせて配置できて、有効に用いることができる。
(3) 遮光幕の巻取ドラムからの巻き出しは、人手で行うことができ、上記巻取ドラムへの遮光幕の巻き取りは、ぜんまいばねの弾性力によって行わせることができることから、モータのような駆動装置を要することはなく、したがって、構造をシンプル且つコンパクトなものとすることができて、製造コストを安価なものとすることができ、又、電力等の動力源のために要するランニングコストを不要にできると共に、メンテナンスコスト等を低く抑えることが可能になる。
(4) ラチェット機構を、ドラム軸に一体に取り付けたつめ歯車と、一端部に上記つめ歯車に係止するつめ部を備え且つ長手方向中央部をストッパーカム軸にて揺動自在に支持させたストッパーカムと、該ストッパーカムのつめ部を上記つめ歯車側へ近接するよう付勢するためのばね部材とからなる構成とし、ラチェット機構解除手段を、上記ばね部材の弾性力に抗する方向へ上記ストッパーカムの他端部を押すことにより上記ストッパーカムのつめ部を上記つめ歯車より外すことができるラチェット解除ボタンとした構成とすることにより、ラチェット解除ボタンを押さないときには、ドラム軸の遮光幕巻取方向への回転を阻止でき、且つラチェット解除ボタンを押すことによりドラム軸の遮光幕巻取方向への回転を行わせることが可能なラチェット機構を容易に構成できる。
(5) ぜんまいばねを、ドラム軸の外周に巻き回すよう配置して、該ぜんまいばねの中心側となる一端部を上記ドラム軸の外周面に固定し、且つ外周側となる他端部を、固定側の所要位置に固定した構成とすることにより、巻取ドラムより遮光幕が巻き出されるときに、該巻取ドラムに対して遮光幕巻取方向の回転力を付勢させるための構成を容易に形成できる。
【図面の簡単な説明】
【図１】本発明のブラインド装置の実施の一形態を示す一部切断概略正面図である。
【図２】図１のＡ−Ａ方向矢視図である。
【図３】図１のＢ−Ｂ方向矢視図である。
【図４】図１のＣ−Ｃ方向矢視拡大図である。
【図５】本発明の実施の他の形態を示すもので、（イ）は概略切断側面図、（ロ）はベースフレームの背面全体の概略を示す図である。
【図６】本発明の実施の更に他の形態を示すもので、（イ）（ロ）はいずれも窓の上部に所要の取付手段にて予め設置してある面ファスナーへの取り付けを行った状態を示す概略側面図である。
【符号の説明】
１  ベースプレート
３  遮光幕
４  巻取ドラム
５  ドラム軸
６  ブラケット軸受
６ａ  軸受本体
８  ぜんまいばね
９  ラチェット機構
１１  つめ歯車
１２  ストッパーカム
１２ａ  つめ部
１４  ストッパーカム軸
１６  トーションコイルばね（ばね部材）
１８  ラチェット解除ボタン
【図１】
2004204438.tif 000003
【図２】
2004204438.tif 000004
【図３】
2004204438.tif 000005
【図４】
2004204438.tif 000006
【図５】
2004204438.tif 000007
【図６】
2004204438.tif 000008